(57)【要約】【課題】病院や老人ホーム、その他高齢者施設の廊下や食堂及びホールなどに単体もしくは複数台を組合わせて手軽に移動設置して、居室空間を分割する間仕切りとして使用し、その周囲を歩行困難な高齢者が伝い歩き支持板を手掛かりとして歩行を支援する。【解決手段】可搬的なユニット家具の１単位として構成され、歩行ガイド付きの間仕切りとして機能する歩行支援用仮設家具であって、仮設衝立壁体Ａ（Ｃ）を主体とし、下部に収納部を有し、上部には雑誌を立て掛けたり絵を貼り付ける飾り棚を有し、この中間に下部収納部の天板を延長した伝い歩き支持板Ｂ（Ｄ）を有する。また、この歩行支援用仮設家具Ａ（Ｃ）を複数基連設して、伝い歩き支持板Ｂ（Ｄ）を面一に延設し、間仕切りスパン及び伝い歩き距離を可変構成する。【選択図】      図１
2005287551.tif 000002
【特許請求の範囲】
【請求項１】
可搬的なユニット家具の１単位として構成され、歩行ガイド付きの間仕切りとして機能する歩行支援用仮設家具であって、
仮設衝立壁体を主体とし、下部に収納部を有し、上部には雑誌を立て掛けたり絵を貼り付ける飾り棚を有し、この中間に下部収納部の天板を延長した伝い歩き支持板を有することを特徴とする歩行支援用仮設家具。
【請求項２】
飾り棚が、仮設衝立壁体の壁面を展示用ボード又は収納ラックとし、該ボード又はラックの上端に棚台を架設したものである請求項１記載の歩行支援用仮設家具。
【請求項３】
可搬的なユニット家具同士を並べて設置することで利用にあった居室の間仕切りスパンや伝い歩き距離を可変構成するための端ユニットとして用いられ、
伝い歩き支持板が、仮設衝立壁体の正面、背面及び左右側面の一方の３周囲に張り出して形成し、かつ、上面の外周縁に伝い歩き時の滑り止めとなる掘り込み溝を形設したものである請求項１又は２記載の歩行支援用仮設家具。
【請求項４】
可搬的なユニット家具同士を並べて設置することで利用にあった居室の間仕切りスパンや伝い歩き距離を可変構成するための中間ユニットとして用いられ、
伝い歩き支持板が、仮設衝立壁体の正背面の２方向に張り出し、かつ、上面の外周縁に伝い歩き時の滑り止めとなる掘り込み溝を形設したものである請求項１又は２記載の歩行支援用仮設家具。
【請求項５】
可搬的なユニット家具の１単位として構成され、歩行ガイド付きの間仕切りとして機能する歩行支援用仮設家具を分離可能で連設可能に組み合わせた歩行支援用仮設ユニット家具であって、
請求項３及び請求項４記載の歩行支援用仮設家具を複数基連設して、伝い歩き支持板を面一に延設し、間仕切りスパン及び伝い歩き距離を可変構成してなることを特徴とする歩行支援用仮設ユニット家具。
【発明の詳細な説明】
【技術分野】
【０００１】
本発明は病院や老人ホーム、その他高齢者施設の廊下や食堂及びホールなどに単体もしくは複数台を組合わせて手軽に移動設置して、居室空間を分割する間仕切りとして使用し、その周囲を歩行困難な高齢者が伝い歩き支持板を手掛かりとして歩行できるように工夫した歩行支援用仮設家具及び歩行支援用仮設ユニット家具に関する。
【背景技術】
【０００２】
従来、高齢者施設の食堂やホールなど広い空間を分割する際には、例えば衝立や観葉植物専用什器を利用して行ってきた。
【０００３】
この種の所謂間仕切りには、可動式のもの（例えば、特許文献１を参照。）、収納家具に付設して支持するもの（例えば、特許文献１を参照。）、屏風に類する可変式のもの（例えば、特許文献３を参照。）等が見られる。
【特許文献１】特開２００１−２０７５７０号公報
【特許文献２】特開平１１−２１６０３２号公報
【特許文献３】特開平１１−２２２９６２号公報
【発明の開示】
【発明が解決しようとする課題】
【０００４】
しかしながら、衝立や観葉植物専用什器はレイアウト変更が頻繁な病院や施設において簡便に移動設置することが不便であった。また、高齢者施設の食堂やホールなど広い空間を歩行困難な高齢者が移動する際に身体を支持する手掛かりが多く存在する方が安全であるが、衝立や観葉植物専用什器で身体を支持しようとすると体重を支えきれずに転倒してしまうことも難点であった。このように、上記従来例はいずれも歩行訓練を促して自立生活を支援する目的効果（本発明に関する歩行支援）を有したものではなかった。
【０００５】
そこで本発明は、前述の如き難点等を解消し、簡便に移動設置でき、端ユニットと中ユニットの組合わせから必要に応じたスペースを分割することができ、設置後の安全性においても歩行困難な高齢者の身体を充分に支持することが可能であり、安心して、また楽しく伝い歩きを行える機能を提供すべく創出した歩行支援用仮設家具及び歩行支援用仮設ユニット家具を提供するものである。
【課題を解決するための手段】
【０００６】
課題を解決するために本発明は、可搬的なユニット家具の１単位として構成され、歩行ガイド付きの間仕切りとして機能する歩行支援用仮設家具であって、
仮設衝立壁体を主体とし、下部に収納部を有し、上部には雑誌を立て掛けたり絵を貼り付ける飾り棚を有し、この中間に下部収納部の天板を延長した伝い歩き支持板を有することを特徴とするものである。
【０００７】
ここで、歩行支援用仮設家具は、可搬的なユニット家具同士を並べて設置することで利用にあった居室の間仕切りスパンや伝い歩き距離を可変構成するための端ユニットして用いられる場合、伝い歩き支持板が、仮設衝立壁体の正面、背面及び左右側面の一方の３周囲に張り出して形成し、かつ、上面の外周縁に伝い歩き時の滑り止めとなる掘り込み溝を形設したものとされる。
【０００８】
また、歩行支援用仮設家具は、可搬的なユニット家具同士を並べて設置することで利用にあった居室の間仕切りスパンや伝い歩き距離を可変構成するための中間ユニットとして用いられる場合、伝い歩き支持板が、仮設衝立壁体の正背面の２方向に張り出し、かつ、上面の外周縁に伝い歩き時の滑り止めとなる掘り込み溝を形設したものとされる。
【０００９】
そして、上記歩行支援用仮設家具を分離可能で連設可能に組み合わせた歩行支援用仮設ユニット家具であって、複数基連設して、伝い歩き支持板を面一に延設し、間仕切りスパン及び伝い歩き距離を可変構成してなることを特徴とするものである。
【発明の効果】
【００１０】
本発明によれば、病院や老人ホーム、その他高齢者施設の廊下や食堂及びホールなどに単体もしくは複数台を組合わせて手軽に移動設置できるようになり、居室空間を分割する間仕切りとして使用しその周囲を歩行困難な高齢者が伝い歩き支持板を手掛かりとして歩行できるようになる。
【００１１】
また、端ユニットの伝い歩き支持板や、中間ユニットの伝い歩き支持板上面の外周縁に歩行困難な高齢者が手を着き伝い歩き時の滑り止めとなる掘り込み溝が施されていることで、歩行困難な高齢者が安心して手や肘を着き身体を支えて伝い歩きすることが可能となる。
【００１２】
更に、ユニット１台につき４つのロック機構付キャスターが底面に取り付けてあり、これによって任意の場所へ適宣移動して固定設置することが可能となる。
【００１３】
そして、２台の端ユニットの伝い歩き支持板が張り出していない側面同士を密着して設置することにより幅2560ｍｍの伝い歩きを行う設備や間仕切りとなり、２台の端ユニットの伝い歩き支持板が張り出していない側面同士の間に、単数及び複数の中間部ユニットの側面部を密着して設置する等、利用者の必要に合わせて幅域を増減させて伝い歩き歩行をしたり、居室を間仕切ることが可能となる。
【００１４】
特に、伝い歩き支持板の上部に雑誌を立て掛ける棚台や、観賞物を並べることが可能な棚台を備えていることや、棚台の雑誌を立て掛ける面はコルクボードとなっており絵や写真を貼り付けることが可能なことで、歩行困難な高齢者が雑誌や絵を見る目的で家具に近づき、楽しく伝い歩き動作を行うことに寄与する。これにより、日常生活動作の中で自然に伝い歩きなど歩行運動に取り組む環境が構成され、歩行が困難な高齢者などが自立した生活をおくるための支援設備として有用である。
【発明を実施するための最良の形態】
【００１５】
本発明の最良形態において、端ユニット〔請求項３〕では伝い歩き支持板Ｂが正面、背面と側面の一方に張り出し、中間ユニット〔請求項４〕では正面と背面に伝い歩き支持板Ｄが張り出し、この歩行支持板が外周から奥行き 250ｍｍあることで手や肘を掛けて身体を支持することが充分に可能となる手段を採用した。
【００１６】
いずれの場合にも、天板の上面の外周縁に歩行困難な高齢者が手をつき、伝い歩き時の滑り止めとなる掘り込み溝を有することを可能となるよう構成する手段を採用した。
【００１７】
また、下部に取り付けた４つのロック機構付キャスターによって任意の場所へ適宣移動して、居室空間の間仕切りや歩行困難な高齢者の伝い歩きを支持することが可能となるよう構成する手段を採用した。
【００１８】
そして、端ユニットと中間ユニットを並べて設置した仮設ユニット家具〔請求項５〕については、２台の端ユニットの伝い歩き支持板が張り出していない側面同士を密着して設置することにより幅2560ｍｍの伝い歩きを行う設備や間仕切りとなり、２台の端ユニットの伝い歩き支持板が張り出していない側面同士の間に、単数及び複数の中間部ユニットの側面部を密着して設置することにより、広い範囲で伝い歩き歩行を行ったり、居室を間仕切ることを可能となるよう構成する手段を採用した。
【００１９】
これに加え、伝い歩き支持板の上部に雑誌を立て掛けたり、観賞物を並べることが可能な棚台を備え、棚台の雑誌を立て掛ける面はコルクボード（展示ボード）となっており絵や写真を貼り付けることを可能とし、歩行困難な高齢者が雑誌や絵を見る目的で家具に近づき、楽しく伝い歩き動作を行うことが可能となるよう構成する手段を採用した〔請求項２〕。
【実施例】
【００２０】
本発明の一実施例について添付図面を参照して以下説明する。
【００２１】
図１は、本発明のユニット家具を構成する、端ユニットＡと中間ユニットＢに端ユニットＡを 180度反転した状態から、側面同士を密着して固定設置した斜視図である。
【００２２】
図２は、本発明のユニット家具を構成する、端ユニットＡの斜視図である。
【００２３】
図３は、本発明のユニット家具を構成する、中間ユニットＣの斜視図である。
【００２４】
図４は、本発明のユニット家具を構成する、端ユニットＡの２台を側面Ｇ同士を密着し、固定設置した幅2560ｍｍのユニット構成の斜視図である。
【００２５】
図示するように、実施例家具は病院や老人ホーム、その他高齢者施設の廊下や食堂及びホールなどに単体もしくは複数台を組合わせて手軽に移動設置して、居室空間を分割する間仕切りとして使用し、その周囲を歩行困難な高齢者が伝い歩き支持板を手掛かりとして歩行できるようになっている。具体的には、端ユニットＡと中間ユニットＣを並べて設置することで利用にあった居室の間仕切りや伝い歩き距離を可能となるよう構成されている（図１参照）。
【００２６】
また、端ユニットＡでは伝い歩き支持板Ｂが正面、背面と側面の一方に張り出している（図２参照）。中間ユニットＣでは伝い歩き支持板Ｄが正面と背面に張り出している（図３参照）。天板の上面の外周に歩行困難な高齢者が手を着き、伝い歩き時の滑り止めとなる掘り込み溝Ｅを施している（図１〜図３参照）。
【００２７】
更に、ユニット１台につき４つのロック機構付キャスターＦが底面に取り付けてあり、これによって任意の場所へ適宣移動して固定設置することが可能である（図１〜図３参照）。
【００２８】
そして、２台の端ユニットＡの伝い歩き支持板Ｂが張り出していない側面Ｇ同士を密着して設置することにより幅2560ｍｍの伝い歩きを行う設備や間仕切りとなる（図４参照）。２台の端ユニットＡの伝い歩き支持板が張り出していない側面Ｇ同士の間に、単数及び複数の中間部ユニットＣの側面部Ｈを密着して設置することにより、広い範囲で伝い歩き歩行を行ったり、居室を間仕切ることが可能となる（図１参照）。
【００２９】
それから、伝い歩き支持板Ｂ及びＤの上部に雑誌を立て掛ける棚台Ｉや、観賞物を並べることが可能な棚台Ｊを備え、棚台の雑誌を立て掛ける面Ｋはコルクボードとなっており絵や写真を貼り付けることを可能とし、歩行困難な高齢者が雑誌や絵を見る目的で家具に近づき、楽しく伝い歩き動作を行うことが可能となっている（図１〜図３参照）。
【図面の簡単な説明】
【００３０】
【図１】本発明のユニット家具を構成する、端ユニットＡと中間ユニットＢに端ユニットＡを 180度反転した状態から、側面同士を密着して固定設置した斜視図である。
【図２】本発明のユニット家具を構成する、端ユニットＡの斜視図である。
【図３】本発明のユニット家具を構成する、中間ユニットＣの斜視図である。
【図４】本発明のユニット家具を構成する、端ユニットＡの２台を側面Ｇ同士を密着し、固定設置した幅2560ｍｍのユニット構成の斜視図である。
【符号の説明】
【００３１】
Ａ  端ユニット〔仮設衝立壁体〕
Ｂ  伝い歩き支持板
Ｃ  中間ユニット〔仮設衝立壁体〕
Ｄ  伝い歩き支持板
Ｅ  掘り込み溝
Ｆ  固定設置キャスター
Ｇ  伝い歩き支持板の無い側面
Ｈ  伝い歩き支持板の無い側面
Ｉ  雑誌等立て掛け棚台
Ｊ  観葉植物等飾り棚台
Ｋ  絵・写真等貼り付けコルクボード面〔展示ボード〕
【図１】
2005287551.tif 000003
【図２】
2005287551.tif 000004
【図３】
2005287551.tif 000005
【図４】
2005287551.tif 000006